(57)【要約】  本発明は、両方のシーケンスの同時放出および直交変調による結果の伝送媒体に対する放出により通信システムにおいてオーバーロードされるデータを半分だけ減少させる目的でフィルタの係数を計算するために必要な時間を改善するための少なくとも２対の直交シーケンスを用いる改良されたエンコーディング・デコーディング方法に関する。
2010514305.tif 000002
【特許請求の範囲】
【請求項１】
少なくとも２対の直交シーケンスを用いる改良されたエンコーディング・デコーディング方法であって、少なくとも２対の直交相補シーケンスを用いるエンコーディングプリアンブルの生成は、
位相のうちの１つによる第１の対に対応する第１のシーケンスの放出、および、直角位相による第２の対の第１のシーケンスの同時放出。
位相のうちの１つによる第１の対の第２のシーケンスの放出、および、直角位相による第２の対の第２のシーケンスの同時放出。
直交変調による結果の伝送媒体に対する放出。
を備えることを本質的に特徴とする、改良されたエンコーディング・デコーディング方法。
【請求項２】
請求項１によって特徴付けられる、少なくとも２対の直交シーケンスを用いる改良されたエンコーディング・デコーディング方法であって、チャンネルの歪みを識別し及び／又は除去する目的でデコーディングを得るための方法は、相関演算によってフィルタの係数を得るために結果として得られる相関関係の結果の和が、
ＨＩ＝Ｉ＊Ａ１＋Ｉ＊Ｂ１＋ＮＩ／２Ｌ
ＨＱ＝Ｑ＊Ａ２＋Ｑ＋Ｂ２＋ＮＱ／２Ｌ
ｉＩＱ＝Ｑ＊Ａ１＋Ｑ＋Ｂ１＋ＮＱ／２Ｌ
ｉＱＩ＝Ｉ＊Ａ２＋Ｉ＋Ｂ２＋ＮＩ／２Ｌ
となる（＊は相関演算子である）ことを備える、ことを更に特徴とする、改良されたエンコーディング・デコーディング方法。
【発明の詳細な説明】
【技術分野】
【０００１】
本発明は、特にフィルタ係数を計算するために必要な時間を改善してその構造を簡略化する、直交相補シーケンスの対の連続放出による伝送媒体の歪みの推定のために使用される少なくとも２対の直交シーケンスを用いる改良されたエンコーディング・デコーディング方法に関する。
【背景技術】
【０００２】
主な従来技術は、このようにしてこの問題を解決することを試みる唯一の周知文献である特許文献ＰＣＴ２００５０００２２８において要約されている。
【０００３】
通信システム、スペクトル解析システム、ＲＡＤＡＲシステム、および、ＳＯＮＡＲシステムは、反射されるか否かにかかわらず伝送媒体を行き来した後に受信器に達する信号を送信する。この媒体は、インパルスに対する周波数Ｈ（ω）または時間ｈ（ｎ）応答を伴う線形フィルタのように振る舞う。殆どの通信システムにおいては、発せられた信号ｓ［ｎ］に対する伝送媒体によって生み出される影響を除去して、発せられた情報を回収するプロセスを可能にすることが必要である。このプロセスは等化として知られている。また、周波数応答を使用して、特に媒体の解析を行なうこともでき、従って、その物理的特性に関する情報を得ることができる。
【０００４】
チャンネルは、フィルタのように作用して信号を歪める。チャンネルにおける乱れに起因するノイズｎ［ｎ］、熱ノイズ、または、発せられる信号と干渉する他の信号がこれに加えられるに違いない。結論として、受信信号ｒ［ｎ］を以下のようにモデリングすることができる。
ｒ［ｎ］＝ｓ［ｎ］＊ｈ［ｎ］＋ｎ［ｎ］            （１）
ここで、＊は畳み込み演算を表わしている。インパルス応答を伴うフィルタｆ［ｎ］は、以下のように信号中に媒体によって導入される歪みを除去するために必要である。
ｒ［ｎ］＊ｆ［ｎ］≒ｓ［ｎ］                      （２）
【０００５】
しかしながら、本明細書では方法が使用されるため、フィルタ係数を計算する時間は、高いとともに、システムの用途を部分的に条件付ける。
【発明の開示】
【０００６】
本発明は、前の段落で言及された時間の問題を解決する目的で開発された。本発明は、通信システムにおいてオーバーロードされるデータを半分だけ減少させる目的でフィルタ係数を計算するために必要な時間を改善しようとする。
【０００７】
新たな発明によれば、これは、特定の順序で送信するときに相互の干渉が互いに相殺し、それにより、係数の同時識別が可能となり、従って、計算プロセスがスピードアップされるという事実により得られる。
【０００８】
本発明の本質を明確にするために、３つの図を伴う２枚の図面が添付される。
【発明を実施するための最良の形態】
【０００９】
本発明によって提案される直交相補シーケンスの対の連続放出による伝送媒体の歪みの推定のために使用される少なくとも２対の直交シーケンスの改良されたエンコーディング・デコーディング方法は、
ａ）位相のうちの１つによる第１の対に対応する第１のシーケンスの放出、および、直角位相による第２の対の第１のシーケンスの同時放出。
ｂ）その後における、位相のうちの１つによる第１の対の第２のシーケンスの放出、および、直角位相による第２の対の第２のシーケンスの同時放出。
ｃ）直交変調による結果の伝送媒体に対する放出。
を備えるエンコーディングプリアンブルを生成する少なくとも２対の直交相補シーケンスの使用によって特徴付けられる。
【００１０】
そのため、フィルタが識別されなければならず、また、それらのフィルタは、
ＨＩ、ＨＱ、ｉＩＱ、ｉＱＩ。
である。
【００１１】
これまで、前記フィルタは、図４に従って４つの時間間隔を使用することにより、以下のように得られた。
ＨＩ＝ＩＡ１＋ＩＡ２＋ＮＩ／２Ｌ
ＨＱ＝ＱＢ１＋ＱＢ２＋ＮＱ／２Ｌ
ｉＩＱ＝ＱＡ１＋ＱＡ２＋ＮＱ／２Ｌ
ｉＱＩ＝ＩＢ１＋ＩＢ２＋ＮＩ／２ｌ
この場合、以下のことが見出される。
ＩＡ１．  間隔Ｔ１における位相ＩとシーケンスＡ１との相関関係。
ＩＡ２．  間隔Ｔ２における位相ＩとシーケンスＡ２との相関関係。
ＱＢ１．  間隔Ｔ３における位相ＱとシーケンスＢ１との相関関係。
ＱＢ２．  間隔Ｔ４における位相ＱとシーケンスＢ１との相関関係。
ＱＡ１．  間隔Ｔ１における位相ＱとシーケンスＡ１との相関関係。
ＱＡ２．  間隔Ｔ２における位相ＱのサンプルとシーケンスＡ２との相関関係。
ＩＢ１．  間隔Ｔ３における位相ＩのサンプルとシーケンスＢ１との相関関係。
ＩＢ２．  間隔Ｔ４における位相ＩのサンプルとシーケンスＢ２との相関関係。
【００１２】
しかしながら、相補シーケンスの所定の特性を適用することにより、シーケンスが図３のクロノグラムに示されるように送られる場合、受信における結果は以下のとおりである（＊は相関演算子である）。
ＨＩ＝Ｉ＊Ａ１＋Ｉ＊Ｂ１＋ＮＩ／２Ｌ
ＨＱ＝Ｑ＊Ａ２＋Ｑ＊Ｂ２＋ＮＱ／２Ｌ
ｉＩＱ＝Ｑ＊Ａ１＋Ｑ＊Ｂ１＋ＮＱ／２Ｌ
ｉＱＩ＝Ｉ＊Ａ２＋Ｉ＋Ｂ２＋ＮＩ／２Ｌ
ここで、ＩおよびＱは、受信される直交信号であり、また、前記演算は、間隔Ｔ１（対のうちのシーケンスＡにおける間隔）およびＴ２（対のうちのシーケンスＢにおける間隔）において計算される。従って、フィルタ係数を計算するために必要な時間が最初のプロセスに関して２で割られ、それにより、通信システムにおいてオーバーロードされるデータを半分だけ減少させることができる。これは、１つの特徴付け方法または他の方法を選択するのに不可欠である。
【００１３】
これは、この順での送信によって相互の干渉が互いに相殺するため、可能であり、それにより、係数の同時識別が可能となり、図３に示されるように計算プロセスがスピードアップされる。この場合、送信プリアンブルの名称は以下のとおりである。
名称（Ｘ＿Ｚ）
Ｘ＝相補対のシーケンスＡまたはＢ
Ｚ＝直交セット１または２
【００１４】
この新たな方法を用いると、図１と図２とを比べれば推論できるように、以前の方法の場合のように６個のフィルタではなく、４個のフィルタしか存在しないため、リソースの必要性が減少されるのは明らかである。
図１  以前の方法
図２  新たな改良された方法
【００１５】
従って、半導体またはチップ製品においてこの新たな発明を実施する利点は、少なくとも以下の通りである。
１．メモリブロックを半分だけ減少させる。
２．乗算器を半分だけ減少させる。
３．加算器を半分だけ減少させる。
４．フィルタ遅延を５０％まで減少させる。
５．従って、等化の複雑さが２５％まで減少される。
【００１６】
本発明の特定の実施形態について説明してきたが、当業者であれば分かるように、以下の特許請求の範囲から逸脱することなく、本発明を他の特定の方法で行なうことができる。
【図面の簡単な説明】
【００１７】
【図１】両方の位相に関して以前に使用された等化構造のブロック図を示しており、以下を見出すことができる。  フィルタＨＩ、ＨＱ、ｉＩＱ、ｉＱＩ  受信される帯域内信号Ｉ、Ｑ。  独立信号Ｉ２、Ｑ２。
【図２】Ｉ’、Ｑ’が受信された直交信号である、新規な等化・フィルタリング構造のブロック図を示している。
【図３】名称（Ｘ＿Ｚ）    Ｘ＝相補対のシーケンスＡまたはＢ    Ｚ＝直交セット１または２  を使用して、媒体の係数を正確に受信し且つ図２のイコライザフィルタを得るためのデータ送信クロノグラムを示している。
【図４】イコライザフィルタを得るためのデータが得られる２つの各直交再変調位相Ｉ／Ｑによって受信される信号および受信プリアンブルを説明するクロノグラムを示している。
【図１】
2010514305.tif 000003
【図２】
2010514305.tif 000004
【図３】
2010514305.tif 000005
【図４】
2010514305.tif 000006
【国際調査報告】
2010514305.tif 000007
2010514305.tif 000008
2010514305.tif 000009
2010514305.tif 000010